【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
データベースにおいて、１つ又は複数のコンテンツアイテムの批評を表すレコードであって、該レコードのそれぞれが、そのレコードの前記批評において批評されるコンテンツアイテムのコンテンツアイテム識別子リストを直接又は間接的に一意に特定する、フィールド又は関連付けられた索引を含む第１のレコードを作成し記憶するステップと、
前記データベースにおいて、前記コンテンツアイテムを表すレコードであって、該レコードのそれぞれが、そのレコードの前記コンテンツアイテムを批評する批評の批評アイテム識別子リストを直接又は間接的に一意に特定する、フィールド又は関連付けられた索引を含む第２のレコードを作成し記憶するステップと、
要求コンピュータから、前記批評のうちの１つに関連する要約ウェブページを表示する要求を受信するステップと、
前記要求に応答して、前記要求された批評についての説明情報及び前記第２のレコードで識別されたデジタル形態の前記コンテンツアイテムを記憶する電子ファイルへのゼロ以上のハイパーリンクを含み、該ハイパーリンクが、前記第１のレコードによって一意に特定される前記コンテンツアイテムのリストに基づいて動的に生成されたものである要約ウェブページを生成し、ネットワークを介して前記要約ウェブページを前記要求コンピュータに提供するステップとを備えたことを特徴とする方法。
【請求項２】
前記要約ウェブページを生成するステップが、前記要求された批評のデジタルテキストを記憶する電子ファイルへの追加のハイパーリンクを含む前記要約ウェブページを生成するステップをさらに備えたことを特徴とする、請求項１に記載の方法。
【請求項３】
前記要約ウェブページを生成するステップが、前記要求された批評内で批評される前記コンテンツアイテムに関連する要約ウェブページへの追加のハイパーリンクを含む前記要約ウェブページを生成するステップをさらに備えたことを特徴とする、請求項１に記載の方法。
【請求項４】
前記要約ウェブページを生成するステップが、ソートされた前記第１のハイパーリンクを含む前記要約ウェブページを生成するステップをさらに備えたことを特徴とする、請求項１に記載の方法。
【請求項５】
前記批評を表す前記第１のレコードを作成して記憶するステップが、異なるイデオロギー観点及び歴史的時代の定期刊行物で当初発行された批評を表す前記第１のレコードを作成して記憶するステップを備えたことを特徴とする、請求項１に記載の方法。
【請求項６】
前記作成し記憶するステップが、前記データベースにおいて、１つ又は複数のビジュアルメディアアイテムの批評を表す前記第１のレコード及び対応するビジュアルメディアアイテムを表す前記第２のレコードを作成して記憶するステップを備えたことを特徴とする、請求項１に記載の方法。
【請求項７】
前記作成し記憶するステップが、前記データベースにおいて、１つ又は複数のオーディオメディアアイテムの批評を表す前記第１のレコード及び対応するオーディオメディアアイテムを表す前記第２のレコードを作成して記憶するステップを備えたことを特徴とする、請求項１に記載の方法。
【請求項８】
前記批評を表す前記第１のレコードを作成して記憶するステップが、印刷形態でのみ当初発行された批評を表す前記第１のレコードを作成して記憶するステップを備えたことを特徴とする、請求項１に記載の方法。
【請求項９】
前記要求コンピュータから、前記コンテンツアイテムのうちの１つを表示する第２の要求を受信するステップと、
前記第２の要求に応答して、前記要求されたコンテンツアイテムについての第２の説明情報及び前記第２のレコード内で識別される前記批評のデジタルテキストを記憶する第３の電子ファイルへの１つ又は複数の第３のハイパーリンクを含み、該第３のハイパーリンクが、前記第２のレコードによって一意に特定される前記批評アイテムリストに基づいて動的に生成されたものである第２の要約ウェブページを生成し、前記ネットワークを介して前記第２の要約ウェブページを前記要求コンピュータに提供するステップをさらに備えたことを特徴とする、請求項１に記載の方法。
【請求項１０】
前記第２の要約ウェブページを生成するステップが、前記要求されたコンテンツアイテムを記憶する１つ又は複数の第４の電子ファイルへの１つ又は複数の第４のハイパーリンクを含む前記第２の要約ウェブページを生成するステップをさらに備えたことを特徴とする、請求項９に記載の方法。
【請求項１１】
前記要約ウェブページを生成するステップが、前記要求されたコンテンツアイテムを批評する前記批評アイテムに関連する要約ウェブページへの追加のハイパーリンクを含む前記要約ウェブページを生成するステップをさらに備えたことを特徴とする、請求項９に記載の方法。
【請求項１２】
１つ又は複数の命令シーケンスを保持するコンピュータ可読媒体であって、前記命令は、１つ又は複数のプロセッサによって実行されると、前記１つ又は複数のプロセッサに、
データベースのおいて、１つ又は複数のコンテンツアイテムの批評を表すレコードであって、該レコードのそれぞれが、そのレコードの前記批評において批評されるコンテンツアイテムのコンテンツアイテム識別子リストを直接又は間接的に一意に特定する、フィールド又は関連付けられた索引を含む第１のレコードを作成し記憶するステップと、
前記データベースにおいて、前記コンテンツアイテムを表すレコードであって、該レコードのそれぞれが、そのレコードの前記コンテンツアイテムを批評する批評の批評アイテム識別子リストを直接又は間接的に一意に特定する、フィールド又は関連付けられた索引を含む第２のレコードを作成し記憶するステップと、
要求コンピュータから、前記批評のうちの１つに関連する要約ウェブページを表示する要求を受信するステップと、
前記要求に応答して、前記要求された批評についての説明情報及び前記第２のレコードで識別されたデジタル形態の前記コンテンツアイテムを記憶する電子ファイルへのゼロ以上のハイパーリンクを含み、該ハイパーリンクが、前記第１のレコードによって一意に特定される前記コンテンツアイテムのリストに基づいて動的に生成されたものである要約ウェブページを生成し、ネットワークを介して前記要約ウェブページを前記要求コンピュータに提供するステップと、
を実行させるための命令シーケンスを保持するコンピュータ可読媒体。
【請求項１３】
実行されると前記要約ウェブページを生成させる前記命令が、実行されると、前記要求された批評のデジタルテキストを記憶する電子ファイルへの追加のハイパーリンクを含む前記要約ウェブページを生成させる命令をさらに含むことを特徴とする、請求項１２に記載のコンピュータ可読媒体。
【請求項１４】
実行されると前記要約ウェブページを生成させる前記命令が、実行されると、前記要求された批評内で批評される前記コンテンツアイテムに関連する要約ウェブページへの追加のハイパーリンクを含む前記要約ウェブページを生成させる命令をさらに含むことを特徴とする、請求項１２に記載のコンピュータ可読媒体。
【請求項１５】
実行されると前記要約ウェブページを生成させる前記命令が、実行されると、ソートされた前記第１のハイパーリンクを含む前記要約ウェブページを生成させる命令をさらに含むことを特徴とする、請求項１２に記載のコンピュータ可読媒体。
【請求項１６】
実行されると前記批評を表す前記第１のレコードを作成させ記憶させる前記命令が、実行されると、異なるイデオロギー観点及び歴史的時代の定期刊行物で当初発行された批評を表す前記第１のレコードを作成させ記憶させる命令を含むことを特徴とする、請求項１２に記載のコンピュータ可読媒体。
【請求項１７】
実行されると作成させ記憶させる前記命令が、実行されると、前記データベースにおいて、１つ又は複数のビジュアルメディアアイテムの批評を表す前記第１のレコード及び対応するビジュアルメディアアイテムを表す前記第２のレコードを作成させ記憶させる命令を含むことを特徴とする、請求項１２に記載のコンピュータ可読媒体。
【請求項１８】
実行されると作成させ記憶させる前記命令が、実行されると、前記データベースにおいて、１つ又は複数のオーディオメディアアイテムの批評を表す前記第１のレコード及び対応するオーディオメディアアイテムを表す前記第２のレコードを作成させ記憶させる命令を含むことを特徴とする、請求項１２に記載のコンピュータ可読媒体。
【請求項１９】
実行されると前記批評を表す前記第１のレコードを作成させ記憶させる前記命令が、実行されると、印刷形態でのみ当初発行された批評を表す前記第１のレコードを作成させ記憶させる命令を含むことを特徴とする、請求項１２に記載のコンピュータ可読媒体。
【請求項２０】
前記要求コンピュータから、前記コンテンツアイテムのうちの１つを表示する第２の要求を受信するステップと、
前記第２の要求に応答して、前記要求されたコンテンツアイテムについての第２の説明情報及び前記第２のレコード内で識別される前記批評のデジタルテキストを記憶する第３の電子ファイルへの１つ又は複数の第３のハイパーリンクを含み、該第３のハイパーリンクが、前記第２のレコードによって一意に特定される前記批評アイテムリストに基づいて動的に生成されたものである第２の要約ウェブページを生成し、前記ネットワークを介して前記第２の要約ウェブページを前記要求コンピュータに提供するステップと、
を実行させる命令をさらに含むことを特徴とする、請求項１２に記載のコンピュータ可読媒体。
【請求項２１】
実行されると前記第２の要約ウェブページを生成させる命令は、実行されると、前記要求されたコンテンツアイテムを記憶する１つ又は複数の第４の電子ファイルへの１つ又は複数の第４のハイパーリンクを含む前記第２の要約ウェブページを生成させる命令をさらに含むことを特徴とする、請求項２０に記載のコンピュータ可読媒体。
【請求項２２】
実行されると前記要約ウェブページを生成させる命令は、実行されると、前記要求されたコンテンツアイテムを批評する前記批評アイテムに関連する要約ウェブページへの追加のハイパーリンクを含む前記要約ウェブページを生成させる命令をさらに含むことを特徴とする、請求項２０に記載のコンピュータ可読媒体。